【手続補正書】
【提出日】平成24年7月19日(2012.7.19)
【手続補正１】
【補正対象書類名】明細書
【補正対象項目名】０２５３
【補正方法】変更
【補正の内容】
【０２５３】
したがって、本発明は、とりわけ、エポキシ樹脂組成物に使用するための反応性液体改質剤に関する。本発明の種々の特徴及び利点は、添付の請求項に定める。本発明の実施態様の一部を以下の項目１−２３に列記する。
〔１〕
次式を有する化合物であって、
Ｙ−［（Ｏ−（ＣＯ）−（ＣＨ２）５）ｍ−Ｏ−（ＣＯ）−（ＣＨ２）ｐ−Ｃ（Ｒ２）（Ｒ３）−ＮＨ−（ＣＯ）−ＣＨ＝ＣＨ２］ｎ
式中、
Ｙは、約１〜１０個の炭素原子を有する分枝若しくは直鎖アルキル鎖、又は約１〜１０個の炭素原子を有するヘテロアルキル鎖であり、
各ｍは、独立して、約１〜２０の範囲の整数値であり、
ｎは、約１〜５の範囲の整数値であり、
Ｒ２及びＲ３は、それぞれ独立して、約１〜１４個の炭素原子を有するアルキル基、約３〜１４個の炭素原子を有するシクロアルキル基、約５〜１２個の環原子を有するアリール基、並びに約６〜２６個の炭素原子及び約０〜３個のＳ、Ｎ、又は非ペルオキシドＯ原子を有するアレニル基であるか、又はＲ２及びＲ３は、それらの両方が結合する炭素と一緒に、約４〜１２個の炭素原子を有する炭素環を形成し、
各ｐは、独立して、０又は１である、
化合物。
〔２〕
Ｙがアルキルエーテルである、項目１に記載の化合物。
〔３〕
ｐが０である、項目１又は２に記載の化合物。
〔４〕
Ｒ２及びＲ３が、それぞれメチル基である、項目１〜３のいずれか一項に記載の化合物。
〔５〕
Ｙが−ＣＨ２ＣＨ２ＯＣＨ２ＣＨ２−であり、ｍが５であり、ｎが２であり、ｐが０であり、Ｒ２及びＲ３が、それぞれメチル基である、項目１に記載の化合物。
〔６〕
次式
【化１】
2011529119.tif 000001
を有する化合物であって、
式中、
ｉ及びｊは、それぞれ独立して、約１〜１０の範囲の整数値であり、
ｋ及びｌは、それぞれ独立して、少なくとも１の整数値であり、それらの合計が約２〜１２０の範囲であり、
Ｒ２及びＲ３は、それぞれ独立して、約１〜１４個の炭素原子を有するアルキル基、約３〜１４個の炭素原子を有するシクロアルキル基、約５〜１２個の環原子を有するアリール基、並びに約６〜２６個の炭素原子及び約０〜３個のＳ、Ｎ、又は非ペルオキシドＯ原子を有するアレニル基であるか、又はＲ２及びＲ３は、それらの両方が結合する炭素と一緒に、約４〜１２個の炭素原子を有する炭素環を形成し、
各ｐは、独立して、０又は１である、
化合物。
〔７〕
ｐが０である、項目６に記載の化合物。
〔８〕
Ｒ２及びＲ３が、それぞれメチル基である、項目６又は７に記載の化合物。
〔９〕
次式を有する化合物であって、
【化２】
2011529119.tif 000002
式中、
ｚは、約１〜７５の範囲の整数値であり、
Ｒ５は、約１〜４個の炭素原子を有するアルキル基、約３〜１２個の炭素原子を有するシクロアルキル基、又は約６〜１２個の炭素原子を有する芳香族基である、
化合物。
〔１０〕
ｚが５〜６である、項目９に記載の化合物。
〔１１〕
Ｒ５がエチル基である、項目９又は１０に記載の化合物。
〔１２〕
次式を有する化合物であって、
【化３】
2011529119.tif 000003
式中、
Ａは、約１〜１０個の炭素原子を有する分枝又は直鎖アルキル鎖であり、
Ｒ６は、約１〜５個の炭素原子を有する分枝又は直鎖アルキル鎖であり、
各ｗは、独立して、約１〜１３０の範囲の整数値であり、
ｘは、約１〜４０の範囲の整数値であり、
Ｒ５は、約１〜４個の炭素原子を有するアルキル基、約３〜１２個の炭素原子を有するシクロアルキル基、又は約６〜１２個の炭素原子を有する芳香族基である、
化合物。
〔１３〕
エポキシ樹脂組成物であって、
硬化性エポキシ樹脂と、
アミン硬化剤と、
項目１〜１２のうちのいずれか一項に記載の化合物を含む、反応性液体改質剤と、
を含み、
前記化合物は、前記硬化性エポキシ樹脂との、相互貫入ポリマーネットワーク及び準相互貫入ポリマーネットワークのうちの少なくとも１つを形成するように重合される、
組成物。
〔１４〕
エポキシ樹脂組成物であって、
硬化性エポキシ樹脂と、
アミン硬化剤と、
１つ以上のアセトアセトキシ官能性化合物で末端保護されたオリゴウレタンポリオールを含む、反応性液体改質剤と、
を含み、
前記反応性液体改質剤は、前記硬化性エポキシ樹脂との、相互貫入ポリマーネットワーク及び準相互貫入ポリマーネットワークのうちの少なくとも１つを形成するように重合される、
組成物。
〔１５〕
前記反応性液体改質剤が、イソシアネートを含まない、項目１４に記載の組成物。
〔１６〕
エポキシ樹脂組成物であって、
硬化性エポキシ樹脂と、
アミン硬化剤と、
次式
【化４】
2011529119.tif 000004
（式中、ｑは、約１〜約１０の範囲の整数又は非整数であり、
Ｒ７は、Ｈ又は熱的に分解する反応開始剤からの反応開始剤断片であり、
Ｒ８は、Ｈ、熱的に分解する反応開始剤からの反応開始剤断片、又は次式
【化５】
2011529119.tif 000005
（式中、Ｒ９は、Ｃ１〜Ｃ１２直鎖アルキル、Ｃ１〜Ｃ１２分枝アルキル、又はＣ１〜Ｃ１２環式アルキルである）を有するチオエステルである）を有する反応性液体改質剤と、
を含み、前記反応性液体改質剤は、前記硬化性エポキシ樹脂との、相互貫入ポリマーネットワーク及び準相互貫入ポリマーネットワークのうちの少なくとも１つを形成するように重合される、
組成物。
〔１７〕
Ｒ８が前記チオエステルであり、Ｒ９がメチル基、エチル基、プロピル基、ブチル基、ｓｅｃ−ブチル基、ｔｅｒｔ−ブチル基、又はイソオクチル基である、項目１６に記載の組成物。
〔１８〕
Ｒ８が前記チオエステルであり、Ｒ９がイソオクチル基である、項目１６に記載の組成物。
〔１９〕
Ｒ７がｔｅｒｔ−ブチル基である、項目１６〜１８のうちのいずれか一項に記載の組成物。
〔２０〕
ｑが約４．６である、項目１６〜１９のうちのいずれか一項に記載の組成物。
〔２１〕
ｑが約９である、項目１６〜１９のうちのいずれか一項に記載の組成物。
〔２２〕
エポキシ樹脂組成物であって、
硬化性エポキシ樹脂と、
アミン硬化剤と、
次式
Ｙ−［（Ｏ−（ＣＯ）−（ＣＨ２）５）ｇ−Ｏ−（ＣＯ）−Ｃ（Ｒ１）＝ＣＨ２］ｈ
（式中、Ｙは、約１〜１０個の炭素原子を有する分枝若しくは直鎖アルキル鎖、又は約１〜１０個の炭素原子を有するヘテロアルキル鎖であり、各Ｒ１は、独立して、Ｈ又はＣ１〜Ｃ４アルキルであり、各ｇは、独立して、約１〜３５の範囲の整数値であり、ｈは、約１〜２２の範囲の整数値である）を有する反応性液体改質剤と、
を含み、前記反応性液体改質剤は、前記硬化性エポキシ樹脂との、相互貫入ポリマーネットワーク及び準相互貫入ポリマーネットワークのうちの少なくとも１つを形成するように重合される、
組成物。
〔２３〕
エポキシ樹脂組成物であって、
硬化性エポキシ樹脂と、
アミン硬化剤と、
次式
【化６】
2011529119.tif 000006
（式中、各Ｒ１は、独立して、Ｈ又はＣ１〜Ｃ４アルキルであり、
ｉ及びｊは、それぞれ独立して、１〜１０の範囲の整数値であり、
ｋ及びｌは、それぞれ独立して、少なくとも１の整数値であり、それらの合計が約２〜１３５の範囲である）を有する反応性液体改質剤と、
を含み、前記反応性液体改質剤は、前記硬化性エポキシ樹脂との、相互貫入ポリマーネットワーク及び準相互貫入ポリマーネットワークのうちの少なくとも１つを形成するように重合される、組成物。
【手続補正２】
【補正対象書類名】特許請求の範囲
【補正対象項目名】全文
【補正方法】変更
【補正の内容】
【特許請求の範囲】
【請求項１】
次式を有する化合物であって、
Ｙ−［（Ｏ−（ＣＯ）−（ＣＨ２）５）ｍ−Ｏ−（ＣＯ）−（ＣＨ２）ｐ−Ｃ（Ｒ２）（Ｒ３）−ＮＨ−（ＣＯ）−ＣＨ＝ＣＨ２］ｎ
式中、
Ｙは、約１〜１０個の炭素原子を有する分枝若しくは直鎖アルキル鎖、又は約１〜１０個の炭素原子を有するヘテロアルキル鎖であり、
各ｍは、独立して、約１〜２０の範囲の整数値であり、
ｎは、約１〜５の範囲の整数値であり、
Ｒ２及びＲ３は、それぞれ独立して、約１〜１４個の炭素原子を有するアルキル基、約３〜１４個の炭素原子を有するシクロアルキル基、約５〜１２個の環原子を有するアリール基、並びに約６〜２６個の炭素原子及び約０〜３個のＳ、Ｎ、又は非ペルオキシドＯ原子を有するアレニル基であるか、又はＲ２及びＲ３は、それらの両方が結合する炭素と一緒に、約４〜１２個の炭素原子を有する炭素環を形成し、
各ｐは、独立して、０又は１である、
化合物。
【請求項２】
次式
【化７】
2011529119.tif 000007
を有する化合物であって、
式中、
ｉ及びｊは、それぞれ独立して、約１〜１０の範囲の整数値であり、
ｋ及びｌは、それぞれ独立して、少なくとも１の整数値であり、それらの合計が約２〜１２０の範囲であり、
Ｒ２及びＲ３は、それぞれ独立して、約１〜１４個の炭素原子を有するアルキル基、約３〜１４個の炭素原子を有するシクロアルキル基、約５〜１２個の環原子を有するアリール基、並びに約６〜２６個の炭素原子及び約０〜３個のＳ、Ｎ、又は非ペルオキシドＯ原子を有するアレニル基であるか、又はＲ２及びＲ３は、それらの両方が結合する炭素と一緒に、約４〜１２個の炭素原子を有する炭素環を形成し、
各ｐは、独立して、０又は１である、
化合物。
【請求項３】
次式を有する化合物であって、
【化８】
2011529119.tif 000008
式中、
ｚは、約１〜７５の範囲の整数値であり、
Ｒ５は、約１〜４個の炭素原子を有するアルキル基、約３〜１２個の炭素原子を有するシクロアルキル基、又は約６〜１２個の炭素原子を有する芳香族基である、
化合物。
【請求項４】
次式を有する化合物であって、
【化９】
2011529119.tif 000009
式中、
Ａは、約１〜１０個の炭素原子を有する分枝又は直鎖アルキル鎖であり、
Ｒ６は、約１〜５個の炭素原子を有する分枝又は直鎖アルキル鎖であり、
各ｗは、独立して、約１〜１３０の範囲の整数値であり、
ｘは、約１〜４０の範囲の整数値であり、
Ｒ５は、約１〜４個の炭素原子を有するアルキル基、約３〜１２個の炭素原子を有するシクロアルキル基、又は約６〜１２個の炭素原子を有する芳香族基である、
化合物。
【請求項５】
エポキシ樹脂組成物であって、
硬化性エポキシ樹脂と、
アミン硬化剤と、
請求項１〜４のうちのいずれか一項に記載の化合物を含む、反応性液体改質剤と、
を含み、
前記化合物は、前記硬化性エポキシ樹脂との、相互貫入ポリマーネットワーク及び準相互貫入ポリマーネットワークのうちの少なくとも１つを形成するように重合される、
組成物。
【請求項６】
エポキシ樹脂組成物であって、
硬化性エポキシ樹脂と、
アミン硬化剤と、
１つ以上のアセトアセトキシ官能性化合物で末端保護されたオリゴウレタンポリオールを含む、反応性液体改質剤と、
を含み、
前記反応性液体改質剤は、前記硬化性エポキシ樹脂との、相互貫入ポリマーネットワーク及び準相互貫入ポリマーネットワークのうちの少なくとも１つを形成するように重合される、
組成物。
【請求項７】
エポキシ樹脂組成物であって、
硬化性エポキシ樹脂と、
アミン硬化剤と、
次式
【化１０】
2011529119.tif 000010
（式中、ｑは、約１〜約１０の範囲の整数又は非整数であり、
Ｒ７は、Ｈ又は熱的に分解する反応開始剤からの反応開始剤断片であり、
Ｒ８は、Ｈ、熱的に分解する反応開始剤からの反応開始剤断片、又は次式
【化１１】
2011529119.tif 000011
（式中、Ｒ９は、Ｃ１〜Ｃ１２直鎖アルキル、Ｃ１〜Ｃ１２分枝アルキル、又はＣ１〜Ｃ１２環式アルキルである）を有するチオエステルである）を有する反応性液体改質剤と、
を含み、前記反応性液体改質剤は、前記硬化性エポキシ樹脂との、相互貫入ポリマーネットワーク及び準相互貫入ポリマーネットワークのうちの少なくとも１つを形成するように重合される、
組成物。
【請求項８】
エポキシ樹脂組成物であって、
硬化性エポキシ樹脂と、
アミン硬化剤と、
次式
Ｙ−［（Ｏ−（ＣＯ）−（ＣＨ２）５）ｇ−Ｏ−（ＣＯ）−Ｃ（Ｒ１）＝ＣＨ２］ｈ
（式中、Ｙは、約１〜１０個の炭素原子を有する分枝若しくは直鎖アルキル鎖、又は約１〜１０個の炭素原子を有するヘテロアルキル鎖であり、各Ｒ１は、独立して、Ｈ又はＣ１〜Ｃ４アルキルであり、各ｇは、独立して、約１〜３５の範囲の整数値であり、ｈは、約１〜２２の範囲の整数値である）を有する反応性液体改質剤と、
を含み、前記反応性液体改質剤は、前記硬化性エポキシ樹脂との、相互貫入ポリマーネットワーク及び準相互貫入ポリマーネットワークのうちの少なくとも１つを形成するように重合される、
組成物。
【請求項９】
エポキシ樹脂組成物であって、
硬化性エポキシ樹脂と、
アミン硬化剤と、
次式
【化１２】
2011529119.tif 000012
（式中、各Ｒ１は、独立して、Ｈ又はＣ１〜Ｃ４アルキルであり、
ｉ及びｊは、それぞれ独立して、１〜１０の範囲の整数値であり、
ｋ及びｌは、それぞれ独立して、少なくとも１の整数値であり、それらの合計が約２〜１３５の範囲である）を有する反応性液体改質剤と、
を含み、前記反応性液体改質剤は、前記硬化性エポキシ樹脂との、相互貫入ポリマーネットワーク及び準相互貫入ポリマーネットワークのうちの少なくとも１つを形成するように重合される、組成物。